(57)【要約】【解決手段】第１及び第２の電気コネクタを有する電気コネクタ組立体を開示する。各電気コネクタは、電気コンタクトを内部に有するハウジングを具備する。第１電気コネクタの各コンタクトは、第２電気コネクタの対応するコンタクトと嵌合すなわち接続する。第１電気コネクタを指定の第２電気コネクタの嵌合させる以外の嵌合を禁止するためのキー壁を有するキー機構が設けられる。第１及び第２の電気コネクタの内部キャビティ内に取り付けられる２対の電気コンタクトハウジングにより、別のキー機構が設けられる。各電気コンタクトハウジングは、第１又は第２の電気コネクタのいずれかの内部キャビティ内に取り付けられる電気コンタクトハウジングの反対側の開口内に滑り嵌合する寸法のキーを有する。各キーは、４個のキーがそれぞれの開口と嵌合整合する状態にあるときのみ、第１及び第２の電気コネクタハウジングが嵌合するように配列される。
2008530735.tif 000002
【特許請求の範囲】
【請求項１】
少なくとも２つの同じ寸法及び特定電気定格をそれぞれ有する複数の電気コネクタを具備する電気コネクタシステムであって、
前記複数の電気コネクタの各々は、前記同じ電気定格を有する前記複数の電気コネクタのうち少なくとも１個の電気コネクタのハウジングにのみ接続するよう構成され寸法が設定されたハウジングを具備し、
各ハウジングは、ハウジング同士の接続の際に他のハウジングにより画定される少なくとも１個のキャビティと軸方向に整列する少なくとも１個のキャビティをさらに画定することを特徴とする電気コネクタシステム。
【請求項２】
前記電気コネクタの各対は、接続の際に前記電気コネクタの適正な方向性を保証する極性のためのキー機構を提供することを特徴とする請求項１記載の電気コネクタシステム。
【請求項３】
前記電気コネクタの各対は、前記複数の電気コネクタのうちの第１電気コネクタが前記複数の電気コネクタのうちの指定された第２電気コネクタに接続する場合を除き、接続を禁止するキー機構を提供することを特徴とする請求項１記載の電気コネクタシステム。
【請求項４】
前記キー機構は、前記第１電気コネクタにより画定される第１のキー壁及び前記第２電気コネクタにより画定される第２のキー壁を有し、
前記第１及び第２のキー壁は、前記第１及び第２の電気コネクタが軸方向に整列する際に、一軸に沿って前記第１及び第２の電気コネクタの接続を可能にするよう互いに対してほぼ相補的であり、
前記第１電気コンタクトの前記第１キー壁の一部は開口を画定し、
前記第２電気コンタクトの前記第２キー壁の一部は、対応する開口を画定し、
該各開口は、前記第１及び第２の電気コネクタが接続する際に前記第１電気コネクタの前記開口が前記第２電気コネクタの前記対応する開口と軸方向に整列するように、前記軸と平行で前記開口に沿ってキー受容軸を画定することを特徴とする請求項３記載の電気コネクタシステム。
【請求項５】
前記各キー壁は複数の表面を有し、
該複数の表面のうちの少なくとも２表面はほぼ垂直であり、
前記複数の表面のうちの少なくとも２表面はほぼ共平面であることを特徴とする請求項４記載の電気コネクタシステム。
【請求項６】
前記電気コネクタシステムはロック手段をさらに具備し、
該ロック手段は、前記第１電気コネクタハウジングにより形成された開口内に受容されるよう構成され寸法が設定された第１ロックタブと、前記第２電気コネクタハウジングにより形成された第２開口内に受容されるよう構成され寸法が設定された第２ロックタブとを有し、
前記ロック手段は、前記ハウジング同士をロック位置に保持することを特徴とする請求項４記載の電気コネクタシステム。
【請求項７】
前記各ロックタブは末端を具備し、
該末端は、前記第１及び第２の電気コネクタハウジングの一方の前記キー壁とほぼ対向する表面と係合するための表面を有することを特徴とする請求項６記載の電気コネクタシステム。
【請求項８】
前記各開口は矩形であり、
前記各ハウジングは対応する矩形であることを特徴とする請求項４記載の電気コネクタシステム。
【請求項９】
前記各ハウジングは、前記開口の対応する１個の滑り取付けする寸法に設定された本体部を有することを特徴とする請求項４記載の電気コネクタシステム。
【請求項１０】
前記各ハウジングは、オフセット部を有するキーを具備し、
前記オフセット部は、前記キー壁の後部から前方に延びると共に、前記ハウジングが前記対応する開口内に滑り取付けされる際に前記キー壁の前方部とほぼ面一であり、
前記電気コネクタ内に取り付けられた前記ハウジングはほぼ同じであり、第３キー機構を提供することを特徴とする請求項４記載の電気コネクタシステム。
【発明の詳細な説明】
【技術分野】
【０００１】
本発明は、嵌合を意図していないコネクタ半体の不用意な嵌合を防止する、電気コネクタ組立体用のキー機構に関する。
【背景技術】
【０００２】
相互接続される複数のモジュール又はユニットを有する電気機器において、嵌合すべきプラグ及びリセプタクルの対を唯一定めるキーシステムを設けることが望ましい。当業界で使用されるこのようなシステムは多い。例えば、米国特許第４７７８４１１号明細書は、互いに嵌合する電気コネクタハウジングを開示している。これらのハウジングは、６個の特定角度位置のいずれにも配置可能である六角形のキーを含む六角形ネストが形成される。各ハウジングは、別のハウジングの対応するキーと軸方向に整列状態にあるキーを有する。２個のキーが相互に相補的な角度位置に無い限り、これらハウジングの嵌合が防止される。キーの軸は、ネスト内部の内向きの突条と嵌合するアンダーカットと、キーが着座部に押圧される際にスナップ動作を与える分離端部とを有する。
【０００３】
米国特許第５３７０５５７号明細書は、低背電気コネクタ用のキー機構を開示する。互いに嵌合するプラグ及びリセプタクルの対向する端部は、軸方向に整列した対向する多角形のキーを含む、ハウジングを完全に通って形成された多角形開口を有する。各キーは、多角形開口に隣接するハウジングに形成された第１面の上に横たわるキーから延びる１対の翼状フランジと、第１面から離間した別の表面の上に横たわるキーから突出するロックタブにより、各多角形開口内に保持される。
【発明の開示】
【発明が解決しようとする課題】
【０００４】
従来技術キー機構よりも形状及び構造が新規である追加のキー機構が必要である。特に、必要とされるのは、第１及び第２のコネクタの電気定格が異なる場合に、電気コネクタ組立体内の第２コネクタのコンタクトと第１コネクタのコンタクトとの不用意な嵌合を効果的に防止する新規な形状及び構造を有するコネクタキー機構である。また、必要とされるのは、電気コネクタ組立体の２個のコネクタを効果的に接続し相互ロックする新規な形状及び構造を有するコネクタロック機構である。
【０００５】
本発明の一側面は、雌雄同形すなわち雄雌の無い２個のコネクタハウジング、すなわち第１コネクタ及び第２コネクタを有する電気コネクタ組立体用のキー機構を提供することである。
【０００６】
また、本発明の一側面は、特定の電気定格を有する第１コネクタの電気コンタクトを、異なる電気定格を有する第２コネクタの電気コンタクトと不用意に嵌合すなわち接続させることを防止するために効果的に機能するキー機構である。
【課題を解決するための手段】
【０００７】
本発明の開示において、電気コネクタ組立体は、雌雄同形すなわち雄雌の無い、すなわち２個の電気コネクタがほぼ同等である第１及び第２の電気コネクタを開示する。一つの相違点は、他方の電気コネクタに対して横方向に反転する各電気コネクタ用の対応するキー壁である。本明細書では電気コネクタ組立体の２個の電気コネクタの接続の説明を容易にするために、上述したように電気コネクタは雌雄同形であるので、いずれの電気コネクタをプラグ及びリセプタクルと呼ぶことができても、例示目的で第１電気コネクタをプラグ、第２電気コネクタをリセプタクルと呼ぶ。
【０００８】
プラグ及びリセプタクルの各々は、内部に電気コンタクトを有するハウジングを具備する。プラグの各コンタクトはリセプタクルの対応するコンタクトと接触する。第１キー機構には、プラグ及びリセプタクルの接続の際にプラグのリセプタクルとの適正な方向付けを保証する極性が付与される。
【０００９】
第２キー機構は、例えば別のバッテリコネクタハウジングに対するバッテリコネクタハウジング等の、２個の同等のコネクタハウジングの嵌合を禁止すなわち防止するよう電気コネクタ組立体により提供される。第２キー機構は、プラグ及びリセプタクルが軸方向に整列する際に２個のコネクタハウジングのキー壁が相互ロックするように、プラグの一面に形成されたキー壁、及びリセプタクルの反対側の面に形成された対応するキー壁を具備する。
【００１０】
第３キー機構は、特定の電気定格を有するプラグの電気コンタクトが異なる電気定格を有するリセプタクルの電気コンタクトと不用意に嵌合することを防止するために提供される。第３キー機構は、各電気コンタクトハウジングが電気コネクタハウジングの一つの各内部キャビティ内に取り付けられる２対の電気コンタクトハウジングにより部分的に提供される。特に、リセプタクルの内部キャビティ内に取り付けられる各電気コンタクトハウジングは、矩形の外表面を有するキーを具備する。矩形の外表面は、リセプタクルと同じ電気定格を有するプラグの内部キャビティ内に取り付けられる各電気コンタクトハウジングの対向する矩形開口内に滑り取付けされる寸法である。
【００１１】
同様に、リセプタクルと同じ電気定格を有するプラグの内部キャビティ内に取り付けられる各電気コンタクトハウジングは、キーをそれぞれ具備する。キーは、プラグと同じ電気定格を有するリセプタクルの内部キャビティ内に取り付けられる各電気コンタクトハウジングの対向する矩形開口内に滑り取付けされる寸法である矩形外面を有する。各キーは、４個のキーが各開口と嵌合整列し２個のコネクタハウジングが軸方向に整列する場合にのみ、プラグハウジング及びリセプタクルハウジングが嵌合するように配列される。
【００１２】
特定の電気定格を有するプラグの電気コンタクトが異なる電気定格を有するリセプタクルの電気コンタクトと不用意に嵌合することを防止するために、異なる電気定格を有するコネクタハウジングのキャビティ間の間隔は異なっている。これは軸方向の整列を防止するので、リセプタクルがプラグと異なる電気定格を有する場合におけるプラグ内に取り付けられた電気コンタクトハウジングのキーとリセプタクル内に取り付けられた電気コンタクトハウジングのキーとの嵌合を防止する。第１キー機構によりリセプタクル及びプラグをロックするためのロック機構が設けられることにより、リセプタクル及びプラグが同じ電気定格を有する場合に各開口内で各キーをロックする。
【発明を実施するための最良の形態】
【００１３】
本明細書に開示された電気コネクタ組立体の実施形態を、図面を参照して詳細に説明する。ここで、類似又は同じ要素には、同様の参照符号が付される。「上」、「下」、「側」、「端部」等の用語は図面の方向性又は部品の向きを指しており、説明の便宜のために使用されているだけである。
【００１４】
本発明において、雌雄同形すなわち雄雌のない第１及び第２の電気コネクタ、すなわち、ほぼ同等である２個の電気コネクタを有する電気コネクタ組立体が開示される。一つの大きな相違点は、後述するように、他のコネクタに対して横方向に反転する、各コネクタ用の対応するキー壁である。本明細書で電気コネクタ組立体の２個の電気コネクタの接続を容易に説明するために、電気コネクタは上述したように雌雄同形であるからいずれの電気コネクタもプラグ及びリセプタクルと称することができる場合であっても、例示目的で第１電気コネクタはプラグと称し、第２電気コネクタをリセプタクルと称する。
【００１５】
嵌合軸すなわち接続軸Ａに沿って接続可能である本発明に従った第１電気コネクタすなわちリセプタクル１２及び第２電気コネクタすなわちプラグ１４を有する電気コネクタ組立体１０が、図１ないし図８に示される。リセプタクル１２及びプラグ１４は絶縁ハウジング１６，６０を有し、これら絶縁ハウジング１６，６０は形状がほぼ同一であり、リセプタクル１２及びプラグ１４の適正な方向性を保証する極性のため、特定の電気定格を有するリセプタクル１２が同じ電気定格を有するプラグ１４と嵌合すなわち接続することを保証するためのほぼ相補的なキー機構を有する。
【００１６】
電気コネクタ組立体１０の第１キー機構は、リセプタクル１２及びプラグ１４の適正な方向性を保証する極性のために設けられている。第１キー機構はリテーナ手段を具備し、リテーナ手段は、絶縁ハウジング１６，６０に各実装点に実装された２個のロックタブ１００ａ，１００ｂを有する。各ロックタブ１００ａ，１００ｂは好適には絶縁ハウジング１６，６０と一体に形成され、絶縁ハウジング１６，６０によってそれぞれ画定された各開口５０，６６内に受容されるよう構成され寸法が設定された末端１０２を有する。各ロックタブ１００ａ，１００ｂがその実装点に関して回転可能であることにより、いずれかのハウジング１６，６０の一部に末端１０２が接触すると、各ロックタブ１００ａ，１００ｂを特定方向に回転させる。
【００１７】
各ロックタブの末端１０２は、図７及び図８に示されるような相互ロック状態に２個のハウジング１６，６０を保持すると同様に、２個のハウジング１６，６０を嵌合させるためにいずれかのハウジング１６，６０の表面にロック状態で接触するために特定方向とは逆方向に均等に回転するようさらに構成され寸法が設定されている。２個のハウジング１６，６０が互いに対して又は嵌合軸に対して適正に方向付けされていない場合、２個のハウジング１６，６０の嵌合及び保持を可能にする各開口５０，６６内に２個のロックタブ１００ａ，１００ｂを受容できない。
【００１８】
各ハウジング１６，６０は、各ロックタブ１００ａ，１００ｂを囲むアーチ状部材１０４（図３及び図５参照）を有する。各ロックタブ１００ａ，１００ｂの根元近傍部分１０６はアーチ状に立ち上がり、絶縁ハウジング１６，６０の嵌合の際のハウジング１６，６０の把持を容易にする。ハウジング１６，６０の把持を容易にするために、各ロックタブ１００ａ，１００ｂの立ち上がった根元近傍部１０６の一部も、把持部材１０８を形成するよう立ち上がっている。
【００１９】
図５及び図６に最もよく見えるように、リセプタクル１２の絶縁ハウジング１６は、１対の側壁１８ａ，１８ｂ、３枚の端壁２０ａ，２０ｂ，２２、上壁２３ａ及び下壁２３ｂを有する。これら全ての壁は共に、内部に矩形の電気コンタクトハウジング２８，３０をそれぞれ受容するための矩形の内部キャビティ２４，２６（図２参照）を画定する。電気コンタクトハウジング２８，３０は、当業界では公知の既成電気コンタクトハウジングである。しかし、電気コンタクトハウジング２８，３０を特注設計し、内部に特注設計のハウジング２８，３０を取り付けるためにその設計に従ってキャビティ２４，２６を構成することも考えられる。好適には、電気コンタクトハウジング２８，３０は正端子及び負端子を容易に区別するためにカラーコード化される。
【００２０】
端壁２０ａは端壁２０ｂから末端で突出する。端壁２０ｂは、第１壁２０ｃ１及び第２壁２０ｃ２（図５参照）を有する横壁２０ｃを画定する。第１壁２０ｃ１及び第２壁２０ｃ２の各々は段２１ａ，２１ｂを有する。電気コンタクトハウジング２８，３０の一部は、段２１ａ，２１ｂに隣接する第１壁２０ｃ１及び第２壁２０ｃ２上に載置される。３枚の端壁２０ａ，２０ｂ，２０ｃは共にキー壁２０を画定する。キー壁２０は、意図されたリセプタクル１２が別のリセプタクルではなく意図されたプラグ１４と嵌合することを保証するための第２キー機構の一部である。例えば、第２キー機構は、チャージャリセプタクルが別のチャージャリセプタクルではなくバッテリプラグと嵌合することを保証する。リセプタクル１２を別のリセプタクルと嵌合させようとすると、２個のリセプタクル１２のキー壁２０は嵌合軸に沿って相互ロックしない。
【００２１】
上壁２３ａの一部は切り欠かれ、端壁２０ａ，２０ｂとほぼ直交する矩形開口５０、段壁５２及び側壁５４ａ，５４ｂ（図５参照）を画定する。上壁２３ａの一部５６はアーチ状に立ち上がり、リセプタクル１２及びプラグ１４の嵌合の際に絶縁ハウジング１６を把持できる。リセプタクル１２の把持をさらに容易にするために、立ち上がった上壁２３ａの一部も、把持部材５８を形成するよう立ち上がっている。部分５６は、矩形開口５０及び段壁５２のすぐ背後に位置する。
【００２２】
プラグ１４は図３及び図４に最もよく見られるように絶縁ハウジング６０を有し、リセプタクル１２の構造とほぼ同様な構造を有する。プラグ１４の構造がリセプタクル１２の構造とほぼ同様であっても、電気コネクタ組立体１０を完全に説明するために、以下にプラグ１４の構造を説明する。
【００２３】
プラグ１４の絶縁ハウジング６０は、１対の側壁６０ａ，６０ｂ、３枚の端壁６２ａ，６２ｂ，６４、上壁６５ａ及び下壁６５ｂを有する。これら全ての壁は共に、内部に矩形の電気コンタクトハウジング４０，４２をそれぞれ受容するための矩形の内部キャビティ４４，４６（図２参照）を画定する。電気コンタクトハウジング４０，４２は電気コンタクトハウジング２８，３０と同様の構造であり、当業界では公知の既成電気コンタクトハウジングである。しかし、電気コンタクトハウジング４０，４２を特注設計し、内部に特注設計のハウジング４０，４２を取り付けるためにその設計に従ってキャビティ４４，４６を構成することも考えられる。好適には、電気コンタクトハウジング４０，４２は正端子及び負端子を容易に区別するためにカラーコード化される。
【００２４】
端壁６２ａは端壁６２ｂから末端で突出する。端壁６２ｂは、第１壁６２ｃ１及び第２壁６２ｃ２を有する横壁６２ｃを画定する。第１壁６２ｃ１及び第２壁６２ｃ２の各々は段６３ａ，６３ｂを有する。電気コンタクトハウジング４０，４２の一部は、段６３ａ，６３ｂに隣接する第１壁６２ｃ１及び第２壁６２ｃ２上に載置される。３枚の端壁６２ａ，６２ｂ，６２ｃは共にキー壁６２を画定する。キー壁６２はキー壁２０とほぼ相補的であり、第２キー機構の一部を形成する。
【００２５】
上壁６５ａの一部は切り欠かれ、端壁６２ａ，６２ｂとほぼ直交する矩形開口６６、段壁６８及び側壁７０ａ，７０ｂ（図３参照）を画定する。上壁６５ａの一部７２（図８参照）はアーチ状に立ち上がり、リセプタクル１２及びプラグ１４の嵌合の際に絶縁ハウジング６０を把持する。プラグ１４の把持をさらに容易にするために、立ち上がった上壁６５ａの一部も、把持部材７４を形成するよう立ち上がっている。部分７２は、矩形開口６６及び段壁６８のすぐ背後に位置する。
【００２６】
内部キャビティ２４，２６及び電気コンタクトハウジング２８，３０は、図２に最もよく見えるように、電気コンタクトハウジング２８，３０が内部キャビティ２４，２６内に挿入される際に互いに係合するよう構成され寸法が設定された相補的な溝及び突起を有する。電気コンタクト３４は、プラグ１２がプラグ１４（図８参照）と嵌合する際にプラグ１４の電気コンタクトハウジング４０，４２内の電気コンタクト３８と係合するために、電気コンタクトハウジング２８，３０内に設けられる。電気コンタクト３４，３８は、電気配線に接続されるために圧着又は他の構成を有する。電気コンタクトハウジング４０，４２は、プラグ１４の内部キャビティ４４，４６内に取り付けるよう構成された寸法が設定されている。
【００２７】
第３キー機構は、後述するように、特定の電気定格を有するプラグ１４の電気コンタクト３４が異なる電気定格を有するリセプタクル１２の電気コンタクト３４と不用意に嵌合することを防止するために電気コネクタ組立体１０により提供される。この第３キー機構は、２対の電気コンタクトハウジング２８，３０，４０，４２により部分的に提供される。各電気コンタクトハウジングは、電気コネクタハウジング１６，６０の壁により画定された内部キャビティ２４，２６，４４，４６の一つの内部に取り付けられるよう構成され寸法が設定される。リセプタクル１２の内部キャビティ２４，２６内に取り付けられる各電気コンタクトハウジング２８，３０は、それぞれキー８０，８２（図５参照）を有する。各キー８０，８２は矩形の外表面を有する。この矩形の外表面は、リセプタクル１２と同じ電気定格を有するプラグ１４の内部キャビティ４４，４６内に取り付けられる各電気コンタクトハウジング４０，４２の対向する矩形開口４８ｃ、４８ｄ（図３参照）内に滑り取付けされる寸法である。
【００２８】
同様に、プラグ１４の内部キャビティ４４，４６内に取り付けられる各電気コンタクトハウジング４０，４２は、それぞれキー８４，８６（図３参照）を有する。このキー８４，８６は、プラグ１４と同じ電気定格を有するリセプタクル１２の内部キャビティ２４，２６内に取り付けられる各電気コンタクトハウジング２８，３０の対向する矩形開口４８ａ，４８ｂ（図２及び図５）内に滑り取付けされる寸法である矩形外面を有する。各キーは、４個のキーが各開口と嵌合整列し２個のコネクタハウジング１６，６０が軸方向に整列する場合にのみ、ハウジング１６，６０同士が嵌合するように配列される。第１キー機構により設けられるリテーナ手段は、各開口内の２対のキーの各キーを保持する。
【００２９】
特定の電気定格を有するプラグ１４の電気コンタクト３４が異なる電気定格を有するリセプタクル１２の電気コンタクト３４と不用意に嵌合することを防止するために、第３キー機構は、図９（Ａ）ないし（Ｆ）に示されるように異なる電気定格を有するコネクタハウジング１６，６０のキャビティ２４，２６，４４，４６間に異なった間隔を提供する。異なる電気定格を有する第１及び第２の電気コネクタすなわちリセプタクル１２及びプラグ１４のキャビティ間の異なる間隔は、軸方向の整列を防止し、これら電気コネクタに取り付けられたキー８０，８２，８４，８６が各開口２４，２６，４４，４６と嵌合することを防止するので、電気コネクタ同士すなわちリセプタクル１２及びプラグ１４の嵌合を防止する。
【００３０】
図９（Ａ）ないし（Ｆ）を参照すると、電気定格が異なる６組の電気コネクタ組立体１０ａ〜１０ｆが図示されている。リセプタクル１２ａ及びプラグ１４ａの電気定格は６Ｖ，４Ａであり、リセプタクル１２ｂ及びプラグ１４ｂの電気定格は６Ｖ，１０Ａであり、リセプタクル１２ｃ及びプラグ１４ｃの電気定格は１２Ｖ，１２Ａであり、リセプタクル１２ｄ及びプラグ１４ｄの電気定格は１８Ｖであり、リセプタクル１２ｅ及びプラグ１４ｅの電気定格は２４Ｖであり、リセプタクル１２ｆ及びプラグ１４ｆの電気定格は３２Ｖである。従って、電気定格が異なる各コネクタ組立体１０ａ〜１０ｆについて、プラグ１４のキャビティ４４，４６及びリセプタクル１２のキャビティ２４，２６の間隔は異なっており、不用意な軸方向の整列を防止すると共に、キャビティ２４，２６内に取り付けられる電気コンタクトハウジング２８，３０がキャビティ４４，４６内に取り付けられる電気コンタクトハウジング４０，４２と不用意に嵌合することを防止する。電気定格とは無関係にリセプタクル１２及びプラグ１４が同じ構造及び寸法を保持する（各電気コネクタが同じ長さ、同じ幅及び同じ高さを有する）ために、電気定格が高い組立体１０ｄ〜１０ｆについては図９（Ｄ）ないし（Ｆ）に示されるようにキャビティ間に井戸（well）１１０が画定され、電気定格が低い組立体１０ａ〜１０ｃについては図９（Ａ）ないし（Ｃ）に示されるようにキャビティの各一側に合計２個の井戸１１２が画定される。
【００３１】
上述の説明は特定実施形態を開示するに過ぎず、本発明の範囲を限定する意図はないことを理解されたい。当業者であれば他の変形が可能であることは明らかであり、それら変形も当業者にとって明らかであり、それら変形は特許請求の範囲により定義されるべきものである。
【図面の簡単な説明】
【００３２】
【図１】第１及び第２のコネクタハウジング、すなわち嵌合前のプラグ及びリセプタクルを示す本発明の開示に従った電気コネクタ組立体の斜視図である。
【図２】プラグ及びリセプタクルから分離された電気コネクタハウジングを示す電気コネクタ組立体の分解斜視図である。
【図３】図１のプラグの嵌合面を示す拡大斜視図である。
【図４】図１のプラグの電気接続面を示す拡大斜視図である。
【図５】図１のリセプタクルの嵌合面を示す拡大斜視図である。
【図６】図１のリセプタクルの電気接続面を示す拡大斜視図である。
【図７】嵌合完了後のプラグ及びリセプタクルを示す斜視図である。
【図８】図７の８−８線に沿って断面図である。
【図９】（Ａ）ないし（Ｆ）は、本発明の開示に従った電気コネクタ組立体の斜視図であり、異なる電気定格を有するプラグ及びリセプタクルの間に異なる間隔を有する電気コンタクトハウジングを示す。
【符号の説明】
【００３３】
１２                    リセプタクル（第１コネクタ）
１４                    プラグ（第２コネクタ）
１６，６０              ハウジング
２０，６２              キー壁
２４，２６，４４，４６  キャビティ
５０，６６              開口
１００ａ，１００ｂ      ロックタブ
１０２                  末端
【図１】
2008530735.tif 000003
【図２】
2008530735.tif 000004
【図３】
2008530735.tif 000005
【図４】
2008530735.tif 000006
【図５】
2008530735.tif 000007
【図６】
2008530735.tif 000008
【図７】
2008530735.tif 000009
【図８】
2008530735.tif 000010
【図９】
2008530735.tif 000011
【国際調査報告】
2008530735.tif 000012
2008530735.tif 000013
2008530735.tif 000014